(57)【特許請求の範囲】
【請求項１】
端子圧着装置による端子圧着の進行度合いと前記端子圧着装置に発生する圧力との関係を表す圧力波形を取得する圧力波形取得部と、
前記圧力波形を端子圧着の進行度合いにより複数のエリアに分割し、前記圧力波形により囲まれる部分の面積であるエリア面積をエリア毎に算出するエリア面積算出部と、
前記複数のエリアに含まれる１つまたは２つ以上のエリアを用いて判定エリアを抽出する判定エリア抽出部と、
前記判定エリアにおける複数の良品サンプルのエリア面積の平均値および標準偏差と、前記判定エリアにおける複数の不良品サンプルのエリア面積の平均値および標準偏差と、に基づいて閾値を設定する閾値設定部と、
前記端子圧着装置により検査品の端子圧着が行われたときに、前記検査品の前記判定エリアにおけるエリア面積と前記閾値とを比較することにより、前記検査品の端子圧着の良否を判定する判定部と、
を備え、
前記判定エリア抽出部は、
前記各エリアの良品サンプルのエリア面積の平均値および標準偏差と前記各エリアの不良品サンプルのエリア面積の平均値および標準偏差とに基づいて、前記複数のエリアから１つまたは２つ以上のエリアを有効エリアとして選択する有効エリア選択部と、
前記有効エリアを用いて前記判定エリアを決定する判定エリア決定部と、
を有している、端子圧着の良否判定装置。
【請求項２】
端子圧着装置による端子圧着の進行度合いと前記端子圧着装置に発生する圧力との関係を表す圧力波形を取得する圧力波形取得部と、
前記圧力波形を端子圧着の進行度合いにより複数のエリアに分割し、前記圧力波形により囲まれる部分の面積であるエリア面積をエリア毎に算出するエリア面積算出部と、
前記複数のエリアに含まれる１つまたは２つ以上のエリアを用いて判定エリアを抽出する判定エリア抽出部と、
前記判定エリアにおける複数の良品サンプルのエリア面積の平均値および標準偏差と、前記判定エリアにおける複数の不良品サンプルのエリア面積の平均値および標準偏差と、に基づいて閾値を設定する閾値設定部と、
前記端子圧着装置により検査品の端子圧着が行われたときに、前記検査品の前記判定エリアにおけるエリア面積と前記閾値とを比較することにより、前記検査品の端子圧着の良否を判定する判定部と、
を備え、
前記閾値設定部は、
前記判定エリアにおける良品サンプルのエリア面積の平均値μｄＯＫ、良品サンプルのエリア面積の標準偏差σｄＯＫ、不良品サンプルのエリア面積の平均値μｄＮＧ、および不良品サンプルのエリア面積の標準偏差σｄＮＧを算出する判定エリア算出部と、
ｐ、ｑを１以上の実数としたときに、μｄＮＧ＞μｄＯＫかつ（μｄＮＧ−ｐ×σｄＮＧ）＞（μｄＯＫ＋ｑ×σｄＯＫ）のときの（μｄＮＧ−ｐ×σｄＮＧ）と（μｄＯＫ＋ｑ×σｄＯＫ）との間の所定値、または、μｄＯＫ＞μｄＮＧかつ（μｄＯＫ−ｐ×σｄＯＫ）＞（μＮＧ＋ｑ×σｄＮＧ）のときの（μｄＯＫ−ｐ×σｄＯＫ）と（μｄＮＧ＋ｑ×σｄＮＧ）との間の所定値を、閾値として決定する閾値決定部と、
を有している、端子圧着の良否判定装置。
【請求項３】
前記判定エリア抽出部は、前記各エリアの良品サンプルのエリア面積の平均値μＯＫ、良品サンプルのエリア面積の標準偏差σＯＫ、不良品サンプルのエリア面積の平均値μＮＧ、および不良品サンプルのエリア面積の標準偏差σＮＧを算出するエリア別算出部を有し、
前記有効エリア選択部は、ｍ、ｎを１以上の実数としたときに、μＮＧ＞μＯＫのときのＢ＝（μＮＧ−ｎ×σＮＧ）−（μＯＫ＋ｍ×σＯＫ）、または、μＯＫ＞μＮＧのときのＢ＝（μＯＫ−ｎ×σＯＫ）−（μＮＧ＋ｍ×σＮＧ）が大きくなるほど値が大きくなる第１変数に基づいて、前記複数のエリアから１つまたは２つ以上のエリアを有効エリアとして選択するように構成されている、請求項１または２に記載の端子圧着の良否判定装置。
【請求項４】
前記第１変数は、μＮＧ＞μＯＫのときの分離度＝［（μＮＧ−ｎ×σＮＧ）−（μＯＫ＋ｍ×σＯＫ）］／（μＮＧ−μＯＫ）、または、μＯＫ＞μＮＧのときの分離度＝［（μＯＫ−ｎ×σＯＫ）−（μＮＧ＋ｍ×σＮＧ）］／（μＯＫ−μＮＧ）である、請求項３に記載の端子圧着の良否判定装置。
【請求項５】
ｍ＝ｎ＝３である、請求項４に記載の端子圧着の良否判定装置。
【請求項６】
前記有効エリア選択部は、前記複数のエリアのうち、前記第１変数の値が最も大きい１つのエリアを有効エリアとして選択するように構成され、
前記判定エリア決定部は、前記有効エリアを判定エリアとするように構成されている、請求項３〜５のいずれか一つに記載の端子圧着の良否判定装置。
【請求項７】
前記有効エリア選択部は、前記複数のエリアのうち、前記第１変数の値がより大きい２つ以上のエリアを有効エリアとして選択するように構成され、
前記判定エリア決定部は、前記２つ以上の有効エリアを用いて判定エリアを決定するように構成されている、請求項３〜５のいずれか一つに記載の端子圧着の良否判定装置。
【請求項８】
前記有効エリア選択部は、前記複数のエリアのうち、少なくとも前記第１変数の値が大きい順に、または、不良品サンプルのエリア面積の標準偏差の小さい順に、２つ以上のエリアを有効エリアとして選択するように構成され、
前記判定エリア決定部は、
選択された有効エリアに対して重み付けを行った後、重み付けされた有効エリアを組み合わせてなる組合せエリアを作成する組合せエリア作成部と、
前記組合せエリアから判定エリアを決定する組合せエリア決定部と、
を有している、請求項３〜５のいずれか一つに記載の端子圧着の良否判定装置。
【請求項９】
前記有効エリア選択部は、前記複数のエリアのうち、少なくとも前記第１変数の値が１番目に大きい第１エリア、２番目に大きい第２エリア、３番目に大きい第３エリアを有効エリアとして選択するように構成され、
前記判定エリア決定部は、
前記第１エリアと前記第２エリアとを足し合わせた組合せエリア、前記第１エリアと前記第３エリアとを足し合わせた組合せエリア、前記第２エリアと前記第３エリアとを足し合わせた組合せエリア、前記第１エリアと前記第２エリアと前記第３エリアとを足し合わせた組合せエリアを含む複数の組合せエリアを作成する組合せエリア作成部と、
前記各組合せエリアの良品サンプルのエリア面積の平均値および標準偏差と前記各組合せエリアの不良品サンプルのエリア面積の平均値および標準偏差とに基づいて、前記複数の組合せエリアのうちいずれか１つを判定エリアとする組合せエリア決定部と、
を有している、請求項３〜５のいずれか一つに記載の端子圧着の良否判定装置。
【請求項１０】
前記判定エリア決定部は、前記各組合せエリアの良品サンプルのエリア面積の平均値μＯＫ、良品サンプルのエリア面積の標準偏差σＯＫ、不良品サンプルのエリア面積の平均値μＮＧ、および不良品サンプルのエリア面積の標準偏差σＮＧを算出する組合せエリア別算出部を有し、
前記組合せエリア決定部は、ｒ、ｓを１以上の実数としたときに、前記組合せエリア作成部が作成した複数の組合せエリアのうち、μＮＧ＞μＯＫのときのＢ＝（μＮＧ−ｒ×σＮＧ）−（μＯＫ＋ｓ×σＯＫ）、または、μＯＫ＞μＮＧのときのＢ＝（μＯＫ−ｒ×σＯＫ）−（μＮＧ＋ｓ×σＮＧ）が大きくなるほど大きくなる第２変数の値が最も大きい組合せエリアを、前記判定エリアとするように構成されている、請求項９に記載の端子圧着の良否判定装置。
【請求項１１】
前記第２変数は、μＮＧ＞μＯＫのときの分離度＝［（μＮＧ−ｒ×σＮＧ）−（μＯＫ＋ｓ×σＯＫ）］／（μＮＧ−μＯＫ）、または、μＯＫ＞μＮＧのときの分離度＝［（μＯＫ−ｒ×σＯＫ）−（μＮＧ＋ｓ×σＮＧ）］／（μＯＫ−μＮＧ）である、請求項１０に記載の端子圧着の良否判定装置。
【請求項１２】
ｒ＝ｓ＝３である、請求項１１に記載の端子圧着の良否判定装置。
【請求項１３】
前記組合せエリア作成部は、前記複数の組合せエリアを作成する際に、少なくとも前記第１エリア、前記第２エリア、前記第３エリアに対し重み付けを行うように構成されている、請求項９〜１２のいずれか一つに記載の端子圧着の良否判定装置。
【請求項１４】
前記組合せエリア作成部は、標準偏差が小さいほど重み付けが大きくなるような重み付けを行うように構成されている、請求項８または１３に記載の端子圧着の良否判定装置。
【請求項１５】
前記組合せエリア作成部は、分離度が大きいほど重み付けが大きくなるような重み付けを行うように構成されている、請求項８、１３、または１４に記載の端子圧着の良否判定装置。
【請求項１６】
端子圧着装置による端子圧着の進行度合いと前記端子圧着装置に発生する圧力との関係を表す圧力波形を取得する圧力波形取得部と、
前記圧力波形を端子圧着の進行度合いにより複数のエリアに分割し、前記圧力波形により囲まれる部分の面積であるエリア面積をエリア毎に算出するエリア面積算出部と、
前記複数のエリアに含まれる１つまたは２つ以上のエリアを用いて判定エリアを抽出する判定エリア抽出部と、
前記判定エリアにおける複数の良品サンプルのエリア面積の平均値および標準偏差と、前記判定エリアにおける複数の不良品サンプルのエリア面積の平均値および標準偏差と、に基づいて閾値を設定する閾値設定部と、
前記端子圧着装置により検査品の端子圧着が行われたときに、前記検査品の前記判定エリアにおけるエリア面積と前記閾値とを比較することにより、前記検査品の端子圧着の良否を判定する判定部と、
を備え、
前記判定エリア抽出部は、
前記複数のエリアのうち、不良品サンプルのエリア面積の標準偏差の値が小さい順に１つまたは２つ以上のエリアを有効エリアとして選択する有効エリア選択部と、
前記有効エリアを用いて前記判定エリアを決定する判定エリア決定部と、
を有している、端子圧着の良否判定装置。
【請求項１７】
前記端子圧着装置は、電線の端部および端子が載置されるアンビルと、前記アンビルに対して接近および離反が可能なクリンパと、前記クリンパを前記アンビルに対して接近および離反させる電動式のアクチュエータと、を有し、
前記端子圧着の進行度合いは、経過時間、前記クリンパの位置、前記クリンパの移動距離、前記クリンパの速度、前記クリンパの加速度、前記アクチュエータに供給される電流、前記アクチュエータの作動位置のいずれか一つである、請求項１〜１６のいずれか一つに記載の端子圧着の良否判定装置。
【請求項１８】
端子圧着装置により複数の良品サンプルおよび複数の不良品サンプルの端子圧着を行い、前記各サンプルの端子圧着の進行度合いと前記端子圧着装置に発生する圧力との関係を表す圧力波形を取得するステップと、
前記各サンプルの前記圧力波形を端子圧着の進行度合いにより複数のエリアに分割し、前記圧力波形により囲まれる部分の面積であるエリア面積をエリア毎に算出するステップと、
前記各エリアの良品サンプルのエリア面積の平均値および標準偏差と、前記各エリアの不良品サンプルのエリア面積の平均値および標準偏差とを算出するステップと、
前記良品サンプルおよび前記不良品サンプルのエリア面積の平均値および標準偏差に基づいて、前記複数のエリアから１つまたは２つ以上のエリアを有効エリアとして選択するステップと、
前記有効エリアを用いて判定エリアを抽出するステップと、
前記判定エリアにおける前記良品サンプルおよび前記不良品サンプルのエリア面積の平均値および標準偏差に基づいて閾値を設定するステップと、
前記端子圧着装置により検査品の端子圧着を行い、前記検査品の前記判定エリアにおけるエリア面積と前記閾値とを比較することにより、前記検査品の端子圧着の良否を判定するステップと、
を含んだ端子圧着の良否判定方法。
【発明の詳細な説明】
【技術分野】
【０００１】
本発明は、電線の端部に端子が良好に圧着されたか否かを判定する端子圧着の良否判定装置および良否判定方法に関する。
【背景技術】
【０００２】
従来から、ワイヤハーネスの製造等において、電線の端部に端子を圧着する端子圧着装置が用いられている。端子が良好に圧着されなかった端子付き電線は不良品となるため、端子圧着の際に、端子が良好に圧着されたか否かを検査することが望まれる。そこで従来から、電線の端部に端子が良好に圧着されたか否かを判定する端子圧着の良否判定装置が利用されている。特許文献１には、端子圧着装置のベース板が受ける圧力を圧力センサにより検出し、その圧力に基づいて端子圧着の良否を判定する良否判定装置が記載されている。上記良否判定装置では、まず、良品について、端子圧着処理の経過時間に対する圧力の変化を表す圧力波形を生成する。以下、この圧力波形を基準波形という。そして、検査品の圧力波形（以下、検査波形という）と基準波形とを比較し、それらの差が予め定めた値よりも大きいか否かに基づいて、検査品が良品か不良品かを判定する。
【０００３】
上記良否判定装置では、基準波形は以下のように設定される。すなわち、まず、複数の電線および端子を用いて良好な端子圧着を行ったときの圧力波形を用意する。以下、端子圧着が良好に行われた電線および端子のことを、良品サンプルという。そして、それら複数の良品サンプルの圧力波形の平均を基準波形とする。また、それらの標準偏差をσとしたときに、基準波形から±３σを閾値として設定する。検査時には、所定時間間隔毎に圧力波形をサンプリングし、閾値を超えた回数の全サンプリング数に対する割合が許容値を超えた場合に、不良と判定する。
【０００４】
特許文献２には、圧着不良の複数の態様を考慮した良否判定装置が記載されている。特許文献２に記載された良否判定装置では、圧着不良の態様毎に、検査波形と基準波形との差が最も大きくなる時点を予め一つ特定しておく。そして、複数の態様に対応する複数の時点のそれぞれにおいて、検査波形の圧力値と基準波形の圧力値との差が、所定値（公差）を超えたか否かを判定する。特許文献２には、公差の具体例として、６σ（Ｘ）／ＡＶＥ（Ｘ）、および、（良品平均−不良品平均）／２が挙げられている。なお、σ（Ｘ）、ＡＶＥ（Ｘ）は、それぞれ良品サンプルの標準偏差、平均値である。
【先行技術文献】
【特許文献】
【０００５】
【特許文献１】特開２００５−１３５８２０号公報
【特許文献２】特開２０１４−５６７９６号公報
【発明の概要】
【発明が解決しようとする課題】
【０００６】
特許文献１および２の良否判定装置では、良否判定の基準となる値（閾値）は、良品サンプルの平均値からどれだけずれているかに基づいて設定されている。閾値の設定にあたって、不良品のばらつきは考慮されていない。ところが、たとえ不良品の平均値が同じであっても、不良品のばらつき度合いが異なると、不良品が良品と見なされる可能性は異なることとなる。
【０００７】
図２７（ａ）および（ｂ）は、良品の平均値、良品の標準偏差、および不良品の平均値は同じであるが、不良品の標準偏差が異なる場合の例を示す図である。図２７（ｂ）の方が図２７（ａ）よりも不良品のばらつきが大きく、標準偏差が大きい。閾値は良品の平均値、または平均値および標準偏差に基づいて設定されるので、図２７（ａ）および（ｂ）の例において閾値は等しい。なお、ここでは、公差Ｄ＝（良品平均−不良品平均）／２としている。ただし、公差Ｄ＝６σ（Ｘ）／ＡＶＥ（Ｘ）であっても同様である。この例では、図２７（ｂ）の不良品の方が、図２７（ａ）の不良品よりも、閾値を超える割合が多いことが分かる。すなわち、図２７（ｂ）の方が、不良品が良品と誤認される可能性が高いことが分かる。従来の良否判定装置では、このようなばらつきの相違を考慮することができなかった。
【０００８】
本発明はかかる点に鑑みてなされたものであり、その目的は、より精度の高い良品判定を行うことができる端子圧着の良否判定装置および良否判定方法を提供することである。
【課題を解決するための手段】
【０００９】
本発明に係る端子圧着の良否判定装置は、端子圧着装置による端子圧着の進行度合いと前記端子圧着装置に発生する圧力との関係を表す圧力波形を取得する圧力波形取得部と、前記圧力波形を端子圧着の進行度合いにより複数のエリアに分割し、前記圧力波形により囲まれる部分の面積であるエリア面積をエリア毎に算出するエリア面積算出部と、前記複数のエリアに含まれる１つまたは２つ以上のエリアを用いて判定エリアを抽出する判定エリア抽出部と、前記判定エリアにおける複数の良品サンプルのエリア面積の平均値および標準偏差と、前記判定エリアにおける複数の不良品サンプルのエリア面積の平均値および標準偏差と、に基づいて閾値を設定する閾値設定部と、前記端子圧着装置により検査品の端子圧着が行われたときに、前記検査品の前記判定エリアにおけるエリア面積と前記閾値とを比較することにより、前記検査品の端子圧着の良否を判定する判定部と、を備えている。
【００１０】
上記良否判定装置によれば、端子圧着の良否判定の基準となる閾値は、判定エリアにおける複数の良品サンプルのエリア面積の平均値および標準偏差と、判定エリアにおける複数の不良品サンプルのエリア面積の平均値および標準偏差とに基づいて設定される。よって、良品の平均値、良品のばらつき、および不良品の平均値に加え、不良品のばらつきをも考慮した上で、閾値を設定することができる。よって、不良品を良品と誤認する可能性を低減することができ、より精度の高い良否判定を行うことができる。
【００１１】
また、上記良否判定装置は、圧力波形の一時点ではなく、ある程度の幅を有するエリア毎に計算を行う。そのため、膨大な数の時点毎に計算を行うことは不要であり、計算時間を短縮することができる。また、突発的に生じる外乱（ノイズ）の影響を受けにくいので、外乱による判定精度の低下を抑制することができる。
【００１２】
本発明の好ましい一態様によれば、前記判定エリア抽出部は、前記各エリアの良品サンプルのエリア面積の平均値および標準偏差と前記各エリアの不良品サンプルのエリア面積の平均値および標準偏差とに基づいて、前記複数のエリアから１つまたは２つ以上のエリアを有効エリアとして選択する有効エリア選択部と、前記有効エリアを用いて前記判定エリアを決定する判定エリア決定部と、を有している。
【００１３】
上記態様によれば、良品サンプルおよび不良品サンプルのエリア面積の平均値および標準偏差に基づいて、良品と不良品との区別が付きやすいエリアを有効エリアとして選択することができる。そして、選択された有効エリアを用いて判定エリアを決定することができる。よって、良品と不良品とを比較的明確に区別することができ、精度の高い良否判定を行うことができる。
【００１４】
本発明の好ましい一態様によれば、前記判定エリア抽出部は、前記各エリアの良品サンプルのエリア面積の平均値μＯＫ、良品サンプルのエリア面積の標準偏差σＯＫ、不良品サンプルのエリア面積の平均値μＮＧ、および不良品サンプルのエリア面積の標準偏差σＮＧを算出するエリア別算出部を有し、前記有効エリア選択部は、ｍ、ｎを１以上の実数としたときに、μＮＧ＞μＯＫのときのＢ＝（μＮＧ−ｎ×σＮＧ）−（μＯＫ＋ｍ×σＯＫ）、または、μＯＫ＞μＮＧのときのＢ＝（μＯＫ−ｎ×σＯＫ）−（μＮＧ＋ｍ×σＮＧ）が大きくなるほど値が大きくなる第１変数に基づいて、前記複数のエリアから１つまたは２つ以上のエリアを有効エリアとして選択するように構成されている。
【００１５】
上記態様によれば、良品と不良品との区別が付きやすいエリアを有効エリアとして選択することができる。良品と不良品とを比較的明確に区別することができ、精度の高い良否判定を行うことができる。
【００１６】
本発明の好ましい一態様によれば、前記第１変数は、μＮＧ＞μＯＫのときの分離度＝［（μＮＧ−ｎ×σＮＧ）−（μＯＫ＋ｍ×σＯＫ）］／（μＮＧ−μＯＫ）、または、μＯＫ＞μＮＧのときの分離度＝［（μＯＫ−ｎ×σＯＫ）−（μＮＧ＋ｍ×σＮＧ）］／（μＯＫ−μＮＧ）である。
【００１７】
上記態様によれば、良品と不良品との区別が付きやすいエリアを有効エリアとして選択することができる。良品と不良品とを比較的明確に区別することができ、精度の高い良否判定を行うことができる。
【００１８】
本発明の好ましい一態様によれば、ｍ＝ｎ＝３である。
【００１９】
上記態様によれば、良品と不良品との区別が付きやすいエリアを有効エリアとして選択することができる。良品と不良品とを比較的明確に区別することができ、精度の高い良否判定を行うことができる。
【００２０】
本発明の好ましい一態様によれば、前記有効エリア選択部は、前記複数のエリアのうち、前記第１変数の値が最も大きい１つのエリアを有効エリアとして選択するように構成されている。前記判定エリア決定部は、前記有効エリアを判定エリアとするように構成されている。
【００２１】
上記態様によれば、判定エリアを迅速かつ簡単に決定することができる。
【００２２】
本発明の好ましい一態様によれば、前記有効エリア選択部は、前記複数のエリアのうち、前記第１変数の値がより大きい２つ以上のエリアを有効エリアとして選択するように構成されている。前記判定エリア決定部は、前記２つ以上の有効エリアを用いて判定エリアを決定するように構成されている。
【００２３】
上記態様によれば、複数の有効エリアを用いて判定エリアを決定するので、より高度な判定が可能となる。
【００２４】
本発明の好ましい一態様によれば、前記有効エリア選択部は、前記複数のエリアのうち、少なくとも前記第１変数の値が大きい順に、または、不良品サンプルのエリア面積の標準偏差の小さい順に、２つ以上のエリアを有効エリアとして選択するように構成されている。前記判定エリア決定部は、選択された有効エリアに対して重み付けを行った後、重み付けされた有効エリアを組み合わせてなる組合せエリアを作成する組合せエリア作成部と、前記組合せエリアから判定エリアを決定する組合せエリア決定部と、を有している。
【００２５】
上記態様によれば、更に良好な良否判定を行うことができる。
【００２６】
本発明の好ましい一態様によれば、前記有効エリア選択部は、前記複数のエリアのうち、少なくとも前記第１変数の値が１番目に大きい第１エリア、２番目に大きい第２エリア、３番目に大きい第３エリアを有効エリアとして選択するように構成されている。前記判定エリア決定部は、前記第１エリアと前記第２エリアとを足し合わせた組合せエリア、前記第１エリアと前記第３エリアとを足し合わせた組合せエリア、前記第２エリアと前記第３エリアとを足し合わせた組合せエリア、前記第１エリアと前記第２エリアと前記第３エリアとを足し合わせた組合せエリアを含む複数の組合せエリアを作成する組合せエリア作成部と、前記各組合せエリアの良品サンプルのエリア面積の平均値および標準偏差と前記各組合せエリアの不良品サンプルのエリア面積の平均値および標準偏差とに基づいて、前記複数の組合せエリアのうちいずれか１つを判定エリアとする組合せエリア決定部と、を有している。
【００２７】
上記態様によれば、複数の有効エリアを適宜足し合わせることにより、１つ１つの有効エリアよりも良品と不良品との区別が付きやすいエリアを作成することができ、そのようなエリアを判定エリアとすることができる。よって、良品と不良品とをより明確に区別することができ、より一層精度の高い良否判定を行うことができる。
【００２８】
本発明の好ましい一態様によれば、前記判定エリア決定部は、前記各組合せエリアの良品サンプルのエリア面積の平均値μＯＫ、良品サンプルのエリア面積の標準偏差σＯＫ、不良品サンプルのエリア面積の平均値μＮＧ、および不良品サンプルのエリア面積の標準偏差σＮＧを算出する組合せエリア別算出部を有している。前記組合せエリア決定部は、ｒ、ｓを１以上の実数としたときに、前記組合せエリア作成部が作成した複数の組合せエリアのうち、μＮＧ＞μＯＫのときのＢ＝（μＮＧ−ｒ×σＮＧ）−（μＯＫ＋ｓ×σＯＫ）、または、μＯＫ＞μＮＧのときのＢ＝（μＯＫ−ｒ×σＯＫ）−（μＮＧ＋ｓ×σＮＧ）が大きくなるほど大きくなる第２変数の値が最も大きい組合せエリアを、前記判定エリアとするように構成されている。
【００２９】
上記態様によれば、複数の組合せエリアのうち、良品と不良品との区別がより付きやすい組合せエリアを判定エリアとすることができる。よって、良品と不良品とを明確に区別することができ、より精度の高い良否判定を行うことができる。
【００３０】
本発明の好ましい一態様によれば、前記第２変数は、μＮＧ＞μＯＫのときの分離度＝［（μＮＧ−ｒ×σＮＧ）−（μＯＫ＋ｓ×σＯＫ）］／（μＮＧ−μＯＫ）、または、μＯＫ＞μＮＧのときの分離度＝［（μＯＫ−ｒ×σＯＫ）−（μＮＧ＋ｓ×σＮＧ）］／（μＯＫ−μＮＧ）である。
【００３１】
上記態様によれば、良品と不良品とを明確に区別することができ、より精度の高い良否判定を行うことができる。
【００３２】
本発明の好ましい一態様によれば、ｒ＝ｓ＝３である。
【００３３】
上記態様によれば、良品と不良品とを明確に区別することができ、より精度の高い良否判定を行うことができる。
【００３４】
本発明の好ましい一態様によれば、前記組合せエリア作成部は、前記複数の組合せエリアを作成する際に、少なくとも前記第１エリア、前記第２エリア、前記第３エリアに対し重み付けを行うように構成されている。
【００３５】
上記態様によれば、組合せエリアを作成する際に、良品と不良品との区別がより付きやすい組合せエリアを作成することができる。よって、良品と不良品とを明確に区別することができ、より精度の高い良否判定を行うことができる。
【００３６】
本発明の好ましい一態様によれば、前記組合せエリア作成部は、標準偏差が小さいほど重み付けが大きくなるような重み付けを行うように構成されている。
【００３７】
上記態様によれば、良品と不良品との区別がより付きやすい組合せエリアを作成することができる。
【００３８】
本発明の好ましい一態様によれば、前記組合せエリア作成部は、分離度が大きいほど重み付けが大きくなるような重み付けを行うように構成されている。
【００３９】
上記態様によれば、良品と不良品との区別がより付きやすい組合せエリアを作成することができる。
【００４０】
本発明の好ましい一態様によれば、前記判定エリア抽出部は、前記複数のエリアのうち、不良品サンプルのエリア面積の標準偏差の値が小さい順に１つまたは２つ以上のエリアを有効エリアとして選択する有効エリア選択部と、前記有効エリアを用いて前記判定エリアを決定する判定エリア決定部と、を有している。
【００４１】
上記態様によれば、不良品サンプルの分布のばらつきがより少ないエリアを、有効エリアとして選択することができる。これにより、良好な良否判定を行うことができる。
【００４２】
本発明の好ましい一態様によれば、前記閾値設定部は、前記判定エリアにおける良品サンプルのエリア面積の平均値μｄＯＫ、良品サンプルのエリア面積の標準偏差σｄＯＫ、不良品サンプルのエリア面積の平均値μｄＮＧ、および不良品サンプルのエリア面積の標準偏差σｄＮＧを算出する判定エリア算出部と、ｐ、ｑを１以上の実数としたときに、μｄＮＧ＞μｄＯＫかつ（μｄＮＧ−ｐ×σｄＮＧ）＞（μｄＯＫ＋ｑ×σｄＯＫ）のときの（μｄＮＧ−ｐ×σｄＮＧ）と（μｄＯＫ＋ｑ×σｄＯＫ）との間の所定値、または、μｄＯＫ＞μｄＮＧかつ（μｄＯＫ−ｐ×σｄＯＫ）＞（μＮＧ＋ｑ×σｄＮＧ）のときの（μｄＯＫ−ｐ×σｄＯＫ）と（μｄＮＧ＋ｑ×σｄＮＧ）との間の所定値を、閾値として決定する閾値決定部と、を有している。
【００４３】
上記態様によれば、良品と不良品との区別が付きやすい閾値を設定することができる。このような閾値を用いることにより、良品と不良品とを明確に区別することができ、精度の高い良否判定を行うことができる。
【００４４】
本発明の好ましい一態様によれば、前記端子圧着装置は、電線の端部および端子が載置されるアンビルと、前記アンビルに対して接近および離反が可能なクリンパと、前記クリンパを前記アンビルに対して接近および離反させる電動式のアクチュエータと、を有している。前記端子圧着の進行度合いは、経過時間、前記クリンパの位置、前記クリンパの移動距離、前記クリンパの速度、前記クリンパの加速度、前記アクチュエータに供給される電流、前記アクチュエータの作動位置のいずれか一つである。
【００４５】
上記態様によれば、良好な圧力波形を得ることができ、端子圧着の良否判定を好適に行うことができる。更に、良品サンプルや不良品サンプル及び検査品を端子圧着した際のそれぞれの圧力波形を、互いの端子圧着の進行度合いに合わせて精度よく位置合わせし、対比させることができるので、端子圧着の良否判定を好適に行うことができる。
【００４６】
本発明に係る端子圧着の良否判定方法は、端子圧着装置により複数の良品サンプルおよび複数の不良品サンプルの端子圧着を行い、前記各サンプルの端子圧着の進行度合いと前記端子圧着装置に発生する圧力との関係を表す圧力波形を取得するステップと、前記各サンプルの前記圧力波形を端子圧着の進行度合いにより複数のエリアに分割し、前記圧力波形により囲まれる部分の面積であるエリア面積をエリア毎に算出するステップと、前記各エリアの良品サンプルのエリア面積の平均値および標準偏差と、前記各エリアの不良品サンプルのエリア面積の平均値および標準偏差とを算出するステップと、前記良品サンプルおよび前記不良品サンプルのエリア面積の平均値および標準偏差に基づいて、前記複数のエリアから１つまたは２つ以上のエリアを有効エリアとして選択するステップと、前記有効エリアを用いて判定エリアを抽出するステップと、前記判定エリアにおける前記良品サンプルおよび前記不良品サンプルのエリア面積の平均値および標準偏差に基づいて閾値を設定するステップと、前記端子圧着装置により検査品の端子圧着を行い、前記検査品の前記判定エリアにおけるエリア面積と前記閾値とを比較することにより、前記検査品の端子圧着の良否を判定するステップと、を含んでいる。
【発明の効果】
【００４７】
本発明によれば、より精度の高い良品判定を行うことができる端子圧着の良否判定装置および良否判定方法を提供することができる。
【図面の簡単な説明】
【００４８】
【図１】端子圧着装置の正面図である。
【図２】端子圧着装置の側面図である。
【図３】良否判定装置のブロック図である。
【図４】ＣＰＵの機能ブロック図である。
【図５】閾値の設定方法のフローチャートである。
【図６】（ａ）は良品サンプルの平面図、（ｂ）〜（ｄ）は不良品サンプルの平面図である。
【図７】圧力波形および分割エリアを表す図である。
【図８】各エリアにおける各サンプルの正規分布データを表す図である。
【図９】エリアＡ１における良品サンプルおよび不良品サンプルの正規分布データを表す図である。
【図１０】エリアＡ２における良品サンプルおよび不良品サンプルの正規分布データを表す図である。
【図１１】エリアＡ３における良品サンプルおよび不良品サンプルの正規分布データを表す図である。
【図１２】エリアＡ４における良品サンプルおよび不良品サンプルの正規分布データを表す図である。
【図１３】エリアＡ５における良品サンプルおよび不良品サンプルの正規分布データを表す図である。
【図１４】エリアＡ６における良品サンプルおよび不良品サンプルの正規分布データを表す図である。
【図１５】エリアＡ７における良品サンプルおよび不良品サンプルの正規分布データを表す図である。
【図１６】エリアＡ８における良品サンプルおよび不良品サンプルの正規分布データを表す図である。
【図１７】エリアＡ９における良品サンプルおよび不良品サンプルの正規分布データを表す図である。
【図１８】エリアＡ１０における良品サンプルおよび不良品サンプルの正規分布データを表す図である。
【図１９】分離度Ｃ＝Ｂ／ＡのうちのＡおよびＢの説明図である。
【図２０】組合せエリアＡ５＋Ａ６における良品サンプルおよび不良品サンプルの正規分布データを表す図である。
【図２１】組合せエリアＡ６＋Ａ７における良品サンプルおよび不良品サンプルの正規分布データを表す図である。
【図２２】組合せエリアＡ５＋Ａ７における良品サンプルおよび不良品サンプルの正規分布データを表す図である。
【図２３】組合せエリアＡ５＋Ａ６＋Ａ７における良品サンプルおよび不良品サンプルの正規分布データを表す図である。
【図２４】判定エリアにおける閾値を表す図である。
【図２５】実施形態に係る端子圧着の良否判定方法のフローチャートである。
【図２６】他の実施形態に係る端子圧着の良否判定方法のフローチャートである。
【図２７】（ａ）および（ｂ）は、良品および不良品の確率分布と閾値との関係を表す図である。
【発明を実施するための形態】
【００４９】
以下、本発明の実施の形態について説明する。本実施形態に係る端子圧着の良否判定装置（以下、単に「良否判定装置」という）は、端子圧着装置が電線の端部に端子を圧着したときに、端子が良好に圧着されたか否かを判定する装置である。
【００５０】
（端子圧着装置の構成）
まず、図１および図２を参照しながら、端子圧着装置１の構成について説明する。図１は端子圧着装置１の正面図、図２は端子圧着装置１の側面図である。端子圧着装置１は、アンビル２と、昇降可能なクリンパ３と、クリンパ３を昇降させるモータ４とを備えている。モータ４は、モータ４の回転位置を検出可能なサーボモータにより構成されている。ただし、モータ４の種類は特に限定されず、サーボモータ以外のモータであってもよい。モータ４は、アンビル２に対しクリンパ３を接近および離反させる電動式のアクチュエータの一例である。しかし、アクチュエータはモータ４に限定される訳ではない。アクチュエータとして、クリンパ３を昇降可能な任意のアクチュエータを用いることができる。
【００５１】
図１に示すように、アンビル２の側方には、端子供給装置５が配置されている。端子供給装置５は、複数の端子１０が繋がってなる端子群１１をアンビル２に向けて順次供給するように構成されている。クリンパ３とアンビル２との間に電線１２および端子１０を配置した状態でクリンパ３が下降すると、端子１０はクリンパ３により、隣の端子１０から切り離されると共に、電線１２に圧着される。本実施形態では、モータ４、クリンパ３、およびアンビル２は、端子１０に圧力を加えることによって端子１０を電線１２に圧着させる圧着部を構成している。
【００５２】
電線１２の端部に端子１０を圧着する際に、圧着部には圧力が生じる。本実施形態では、圧着部に発生する圧力を検出する圧力センサ２１が設けられている。ここでは圧力センサ２１は、アンビル２に接続された圧電素子により構成されている。ただし、圧力センサ２１の具体的構成は何ら限定されない。圧電素子に限らず、圧力を検出し得る任意のセンサを好適に用いることができる。圧力センサ２１はアンビル２に直接接続されていてもよいが、本実施形態では間接的に接続されている。すなわち、圧力センサ２１とアンビル２との間に、他の部材が介在している。本明細書では特に限定しない限り、「接続」には、直接接続されている場合と、他の部材を介して間接的に接続されている場合との両方が含まれる。また、圧力センサ２１は、圧着部のいずれかの箇所に発生する圧力を検出するように配置されていればよく、必ずしもアンビル２に接続されている必要はない。圧力センサ２１は、例えば、クリンパ３に接続されていてもよい。また、端子圧着に伴って発生する圧力を検出できる限り、圧着部以外の箇所に接続されていてもよい。
【００５３】
圧力センサ２１は、コントローラ２０に電気的に接続されている。なお、「電気的に接続されている」とは、有線または無線により通信可能に接続されていることを意味する。コントローラ２０は、端子圧着装置１に内蔵されたマイクロコンピュータであってもよく、端子圧着装置１の外部に配置されたコンピュータ（例えばパーソナルコンピュータ）であってもよい。本実施形態では、圧力センサ２１とコントローラ２０とは、電線により接続されている。圧力センサ２１は、圧力を受けると、その圧力の大きさに応じた電圧値または電流値を出力するように構成されている。コントローラ２０は、圧力センサ２１から受ける電圧または電流の値に基づいて、圧着部に発生した圧力を検出する。
【００５４】
以上、端子圧着装置１の構成を説明したが、上記の端子圧着装置１は一例に過ぎない。本発明に係る良否判定装置が適用される端子圧着装置は、何ら限定されない。本発明に係る良否判定装置は、公知の各種の端子圧着装置に適用可能である。
【００５５】
（良否判定装置の構成）
次に、良否判定装置１００の構成について説明する。図３に示すように、本実施形態に係る良否判定装置１００は、前述の圧力センサ２１と、Ａ／Ｄ変換器２２と、コントローラ２０と、ディスプレイ２６とを備えている。良否判定装置１００は、ハードディスクなどの外部メモリ２７を更に備えていてもよい。コントローラ２０は、ＣＰＵ３０と、ＲＯＭ２４と、ＲＡＭ２５とを含んでいる。モータ４にはサーボアンプ８が接続され、サーボアンプ８はコントローラ２０に接続されている。
【００５６】
図４は、ＣＰＵ３０の機能ブロック図である。詳細については後述するが、ＣＰＵ３０は後述する処理を実行する際に、圧力波形取得部４０、エリア面積算出部５０、判定エリア抽出部６０、閾値設定部７０、および判定部８０として機能する。判定エリア抽出部６０は、有効エリア選択部６１、エリア別算出部６２、および判定エリア決定部６３を有している。判定エリア決定部６３は、組合せエリア作成部６４、組合せエリア別算出部６５、および組合せエリア決定部６６を含んでいる。
【００５７】
（良否判定方法）
次に、良否判定装置１００が行う良否判定の方法について説明する。良否判定装置１００は、検査品の端子圧着が行われたときに、所定の検出値（後述する判定エリアのエリア面積）が予め定めた閾値を超えたか否かに基づいて、端子圧着の良否を判定する。始めに、閾値の設定方法について説明する。
【００５８】
図５は、閾値の設定方法のフローチャートである。まず、ステップＳ１において、複数組の電線１２および端子１０を準備する。本明細書では、閾値の設定のために用いられる電線１２およびその電線１２の端部に圧着される端子１０のことを「サンプル」ということとする。ステップＳ１では、複数の良品サンプルと、複数の不良品サンプルとを準備する。
【００５９】
良品サンプルとは、良好に圧着される一組の電線１２および端子１０のことをいう。不良品サンプルとは、良好に圧着されない一組の電線１２および端子１０のことをいう。図６（ａ）は良品サンプルを表す。良品サンプルでは、端子１０のインシュレーションバレル１０ａが電線１２の被覆１２ａに圧着され、端子１０のワイヤバレル１０ｂが電線１２の芯線１２ｂに圧着されている。
【００６０】
図６（ｂ）〜（ｄ）は不良品サンプルの例を表す。例えば図６（ｂ）〜（ｄ）に示すように、端子１０の圧着不良には様々な態様がある。図６（ｂ）は、電線１２の一部の芯線１２ｂがワイヤバレル１０ｂに圧着されていない不良品サンプル（いわゆる芯線こぼれ）を表している。図６（ｃ）は、電線１２の芯線１２ｂがワイヤバレル１０ｂに圧着されておらず、インシュレーションバレル１０ａに圧着されている不良品サンプル（いわゆる芯線下がり）を表している。図６（ｄ）は、電線１２の被覆１２ａがワイヤバレル１０ｂに圧着された不良品サンプル（いわゆる被覆噛み）を表している。本実施形態では、圧着不良の態様毎に複数の不良品サンプルを準備する。
【００６１】
次に、ステップＳ２において、端子圧着装置１を用いて、良品サンプルおよび不良品サンプルに対し端子圧着処理を行う。そして、各サンプルについて、圧力波形を取得する（図７参照）。ここで圧力波形とは、端子圧着装置１による端子圧着処理の進行度合いに対する、圧力センサ２１により検出される圧力Ｐの変化を表す波形のことである。本実施形態では、端子圧着処理の進行度合いを表す変数として、端子圧着処理の経過時間ｔが用いられる。ただし、上記変数は端子圧着処理の進行度合いを表すことができるものであれば足り、端子圧着処理の経過時間ｔに限られない。なお、ステップＳ２の処理を行うとき、ＣＰＵ３０は圧力波形取得部４０として機能する。取得した圧力波形は、サンプル波形としてＲＡＭ２５に記憶される。ＲＡＭ２５は、良品サンプルおよび不良品サンプルの圧力波形を記憶するサンプル波形記憶部の一例である。ただし、サンプル波形記憶部はＲＡＭ２５に限らず、外部メモリ２７等であってもよい。
【００６２】
ステップＳ３では、図７に示すように、各サンプルの圧力波形を経過時間毎に複数のエリアに分割する。ここでは、圧力波形を１０個のエリアＡ１、Ａ２、Ａ３、Ａ４、・・・、Ａ１０に分割することとする。なお、エリアの分割数は特に限定されない。各エリアの幅（本実施形態では時間幅）は一定であってもよく、一定でなくてもよい。ＣＰＵ３０は、圧力波形を分割する際、圧力波形分割部（図示せず）として機能する。次に、ＣＰＵ３０は、エリア毎に、圧力波形により囲まれる部分の面積（以下、エリア面積という）を算出する。例えば、エリアＡ４では、点Ｐ１、点Ｐ２、点Ｐ３、および点Ｐ４によって囲まれる領域の面積がエリア面積となる。ＣＰＵ３０は、各エリアのエリア面積を算出する際、エリア面積算出部５０として機能する。
【００６３】
次に、ステップＳ４に進み、エリア毎に、良品サンプルのエリア面積および各態様の不良品サンプルのエリア面積を集計する。ステップＳ２において、良品サンプルの圧力波形および各態様の不良品サンプルの圧力波形は、それぞれ複数取得されている。そのため、良品サンプルおよび各態様の不良品サンプルのそれぞれについて、エリア毎に、図８に示すような確率分布（正規分布）のデータが得られる。ＣＰＵ３０は、エリア毎に、良品サンプルの平均値μＯＫ、良品サンプルの標準偏差σＯＫ、各態様の不良品サンプルの平均値μＮＧ、各態様の不良品サンプルの標準偏差σＮＧを算出する。この際、ＣＰＵ３０はエリア別算出部６２として機能する。
【００６４】
図９〜１８は、それぞれエリアＡ１〜Ａ１０における良品サンプルの正規分布と所定の態様の不良品サンプルの正規分布とを比較した図である。良品サンプルのエリア面積と不良品サンプルのエリア面積との差が小さい場合、例えば図１０に示すように、良品サンプルの正規分布と不良品サンプルの正規分布とが近づく傾向が見られる。逆に、良品サンプルのエリア面積と不良品サンプルのエリア面積との差が大きい場合、例えば図１４に示すように、良品サンプルの正規分布と不良品サンプルの正規分布とが離れる傾向が見られる。良品サンプルのエリア面積と不良品サンプルのエリア面積との差が大きいほど、不良品サンプルの正規分布は良品サンプルの正規分布から分離する。良品サンプルの正規分布と不良品サンプルの正規分布とが重なる部分は、良品か不良品かの区別がし難い部分である。言い換えると、不良品であっても良品と誤認されるおそれがある部分である。一方、良品サンプルの正規分布と不良品サンプルの正規分布とが分離している場合、良品と不良品との区別が容易となる。そこで、本実施形態に係る良否判定装置１００では、良品サンプルの正規分布と不良品サンプルの正規分布との重なりが少ないエリアを選択し、選択したエリアを利用して良否判定を行う。なお、以下では、このようにして選択されるエリアを有効エリアという。
【００６５】
ステップＳ５では、ＣＰＵ３０が有効エリアの選択を行う。良品サンプルの正規分布と不良品サンプルの正規分布とが分離しているエリアは、有効エリアとして好適である。そこで、良品サンプルの正規分布と不良品サンプルの正規分布とが最も分離しているエリアを有効エリアとして選択してもよい。しかし、全てのエリアにおいて、良品サンプルの正規分布と不良品サンプルの正規分布とが重なっている場合もある。その場合、１つのエリアだけでは、良品と不良品とを区別することが難しい。ところが、複数のエリアを組み合わせることにより、良品サンプルの正規分布と不良品サンプルの正規分布との重なりをより少なくすることができ、または、重なりをなくすことができる。そこで、本実施形態では、良品サンプルの正規分布と不良品サンプルの正規分布との重なりがなくなるように、または、重なりができるだけ少なくなるように、有効エリアとして複数のエリアを選択し、それらを適宜足し合わせたエリア（以下、組合せエリアという）を考える。
【００６６】
本実施形態では、全エリアのうち、分離度が１番目に大きいエリア、２番目に大きいエリア、３番目に大きいエリアを有効エリアとして選択する。ただし、有効エリアの選択方法は特に限定されない。なお、分離度Ｃは、ｍ、ｎを１以上の実数（例えば自然数）としたときに、μＮＧ＞μＯＫのときには、Ｃ＝Ｂ／Ａ＝［（μＮＧ−ｍ×σＮＧ）−（μＯＫ＋ｎ×σＯＫ）］／（μＮＧ−μＯＫ）で定義され（図１９参照）、μＯＫ＞μＮＧのときには、Ｃ＝［（μＯＫ−ｍ×σＯＫ）−（μＮＧ＋ｎ×σＮＧ）］／（μＯＫ−μＮＧ）で定義される。本実施形態では、ｍ＝ｎ＝３とする。ここでは、エリアＡ５、Ａ６、Ａ７が有効エリアとして選択される。ＣＰＵ３０は、有効エリアを選択する際に、有効エリア選択部６１として機能する。
【００６７】
有効エリアＡ５〜Ａ７から組合せエリアを作成する際に、有効エリアＡ５〜Ａ７のデータをそのまま用いることも勿論可能である。しかし、図１３〜１５から分かるように、有効エリアＡ５〜Ａ７の中でも、相対的に、良品サンプルまたは不良品サンプルの正規分布のばらつきが大きいものと小さいものとが存在する。ばらつきが小さいデータほど誤差が発生しにくいので、良否判定にとって好ましい。そこで本実施形態では、ステップＳ６において、有効エリアＡ５〜Ａ７の組合せに際して、データのばらつきの小さいものほど重み付けが大きくなるような重み付けを行う。有効エリアＡ５、Ａ６、Ａ７の重み付け係数をそれぞれＫ５、Ｋ６、Ｋ７とすると、本実施形態では、Ｋ５＝ｋ／σ５、Ｋ６＝ｋ／σ６、Ｋ７＝ｋ／σ７に設定される。ここで、ｋは一定値であり、σ５、σ６、σ７は、それぞれ有効エリアＡ５、Ａ６、Ａ７における良品サンプルの標準偏差である。なお、σ５、σ６、σ７は、それぞれ有効エリアＡ５、Ａ６、Ａ７における不良品サンプルの標準偏差としてもよい。本実施形態では、Ｋ５＜Ｋ６＜Ｋ７となる。ただし、上記の重み付け係数は一例であり、重み付けの具体的手法は特に限定されない。例えば、分離度が大きいほど重み付けが大きくなるように、有効エリアの重み付けを行ってもよい。
【００６８】
ステップＳ７では、重み付けを行った後の有効エリアを組合せることにより、組合せエリアを作成する。ここでは、重み付けを行った後の有効エリアＡ５、Ａ６、Ａ７を対象として、組合せエリアＡ５＋Ａ６、Ａ６＋Ａ７、Ａ７＋Ａ５、Ａ５＋Ａ６＋Ａ７を作成する。ＣＰＵ３０は、有効エリアの重み付けを行う際、および、組合せエリアを作成する際に、組合せエリア作成部６４として機能する。次に、ＣＰＵ３０は、組合せエリア毎に良品サンプルの平均値μＯＫ、良品サンプルの標準偏差σＯＫ、各態様の不良品サンプルの平均値μＮＧ、各態様の不良品サンプルの標準偏差σＮＧを算出する。この際、ＣＰＵ３０は、組合せエリア別算出部６５として機能する。図２０、２１、２２、２３は、それぞれ組合せエリアＡ５＋Ａ６、Ａ６＋Ａ７、Ａ５＋Ａ７、Ａ５＋Ａ６＋Ａ７における良品サンプルおよび不良品サンプルの正規分布を示す図である。
【００６９】
次に、ステップＳ８に進み、組合せエリアの中から最も良否判定に適したものを判定エリアとして決定する。本実施形態では、ステップＳ７で作成した組合せエリアＡ５＋Ａ６、Ａ６＋Ａ７、Ａ５＋Ａ７、Ａ５＋Ａ６＋Ａ７のそれぞれの分離度を算出し、分離度の最も大きいものを判定エリアとする。ここでは、分離度が最も大きい組合せエリアはＡ６＋Ａ７である。そのため、組合せエリアＡ６＋Ａ７が判定エリアとなる。ＣＰＵ３０は、複数の組合せエリアの中から判定エリアを決定する際、組合せエリア決定部６６として機能する。
【００７０】
次に、ステップＳ９に進み、判定エリアにおける良品サンプルおよび不良品サンプルの正規分布から、閾値Ｅを設定する（図２４参照）。この際、ＣＰＵ３０は閾値設定部７０として機能する。閾値Ｅは、良品サンプルと不良品サンプルとを分ける境界値となり得るものである。閾値Ｅの具体的な設定方法は何ら限定されないが、例えば、判定エリアにおける良品サンプルのエリア面積の平均値をμｄＯＫ、良品サンプルのエリア面積の標準偏差をσｄＯＫ、不良品サンプルのエリア面積の平均値をμｄＮＧ、不良品サンプルのエリア面積の標準偏差をσｄＮＧとしたときに（なお、このときにＣＰＵ３０は判定エリア算出部７１として機能する。）、（μｄＮＧ−ｐ×σｄＮＧ）と（μｄＯＫ＋ｑ×σｄＯＫ）との間の所定値を、閾値Ｅとして設定することができる。なお、ｐ、ｑは１以上の実数（例えば自然数）である。例えば、（μｄＮＧ−３σｄＮＧ）と（μｄＯＫ＋３σｄＯＫ）との間の所定値を閾値Ｅとしてもよい。また、（μｄＮＧ−ｐ×σｄＮＧ）を閾値Ｅとしてもよい。例えば、閾値Ｅ＝μｄＮＧ−３σｄＮＧとしてもよく、閾値Ｅ＝μｄＮＧ−６σｄＮＧとしてもよい。（μｄＯＫ＋ｑ×σｄＯＫ）を閾値Ｅとしてもよい。例えば、閾値Ｅ＝μｄＯＫ＋３σｄＯＫとしてもよく、閾値Ｅ＝μｄＯＫ＋６σｄＯＫとしてもよい。ＣＰＵ３０は、閾値を決定する際、閾値決定部７２として機能する。
【００７１】
以上のようにして、良否判定の基準となる閾値Ｅが設定される。設定された閾値Ｅは、ＲＡＭ２５または外部メモリ２７に保存される。なお、上記のステップにおいて、圧力波形や各エリアの良品および不良品の正規分布、平均値および標準偏差などをディスプレイ２６に表示するようにしてもよい。
【００７２】
良否判定装置１００による良否判定は以下のようにして行われる（図２５参照）。ここでは、良否判定の対象となる１組の電線１２および端子１０のことを検査品という。良否判定装置１００は、端子圧着装置１が検査品の端子圧着を行う際に、圧力センサ２１からの信号を受け、検査品の圧力波形を取得する（ステップＳ１１）。そして、この圧力波形をエリアＡ１〜Ａ１０に分割する（ステップＳ１２）。次に、有効エリアＡ５〜Ａ７を選択し（ステップＳ１３）、有効エリアＡ５〜Ａ７に前述と同様の重み付けを行った後（ステップＳ１４）、判定エリアＡ６＋Ａ７を抽出し、判定エリアＡ６＋Ａ７のエリア面積を算出する（ステップＳ１５）。そして、検査品の判定エリアＡ６＋Ａ７のエリア面積と閾値Ｅとの大小を比較する（ステップＳ１６）。検査品の判定エリアＡ６＋Ａ７のエリア面積が閾値Ｅを超える場合、検査品を不良品と判定する（ステップＳ１７）。一方、検査品の判定エリアＡ６＋Ａ７のエリア面積が閾値Ｅ以下の場合、検査品を良品と判定する（ステップＳ１８）。ＣＰＵ３０は、上記ステップＳ１１〜Ｓ１８の処理を行う際、判定部８０として機能する。
【００７３】
なお、ここでは、判定エリアＡ６＋Ａ７において、良品サンプルのエリア面積の平均値が不良品サンプルのエリア面積の平均値よりも小さいため（図２４参照）、検査品の判定エリアＡ６＋Ａ７のエリア面積が閾値Ｅ以下の場合に検査品は良品と判定される。しかし、判定エリアにおいて、良品サンプルのエリア面積の平均値が不良品サンプルのエリア面積の平均値よりも大きい場合には、検査品は、検査品の判定エリアのエリア面積が閾値以上の場合に良品と判定され、閾値よりも小さい場合に不良品と判定される。
【００７４】
判定結果は、例えばディスプレイ２６に表示される。これにより、ユーザは検査品の端子圧着が良好に行われたか否かを容易に認識することができる。なお、判定結果の通知の方法は、ディスプレイ２６による表示に限られない。例えば、良否判定装置１００がスピーカを備え、そのスピーカから音声を出力することにより、端子圧着の良否判定結果を通知するようにしてもよい。
【００７５】
（実施形態の効果）
以上のように、本実施形態に係る良否判定装置１００によれば、端子圧着装置１により複数の良品サンプルおよび複数の不良品サンプルの端子圧着を行い、それらのデータに基づいて閾値を自動的に設定する。人が勘や経験に基づいて閾値を手動で設定する場合、良否判定の精度は、その人の勘や経験に依存し、人為的誤差が発生し得る。しかし、本実施形態に係る良否判定装置１００によれば、客観的なデータに基づいて閾値が自動的に設定されるので、そのような人為的誤差は生じない。また、人が勘や経験に基づいて閾値を手動で設定すると、データ上に新たな特異点（良品と不良品との差が区別しやすい点）が生じた場合、その特異点を利用することはできない。しかし、本実施形態に係る良否判定装置１００によれば、良品サンプルおよび不良品サンプルのデータに基づいて閾値が自動的に設定されるので、新たに生じる特異点を利用することが可能となる。
【００７６】
本実施形態に係る良否判定装置１００によれば、端子圧着の良否判定の基準となる閾値Ｅは、判定エリアにおける複数の良品サンプルのエリア面積の平均値および標準偏差と、判定エリアにおける複数の不良品サンプルのエリア面積の平均値および標準偏差とに基づいて設定される。よって、良品の平均値、良品のばらつき、および不良品の平均値に加え、不良品のばらつきをも考慮した上で、閾値Ｅを設定することができる。よって、不良品を良品と誤認する可能性を低減することができ、より精度の高い良否判定を行うことができる。
【００７７】
閾値Ｅの具体的な値は特に限定されないが、本実施形態では、（μｄＯＫ−ｐ×σｄＯＫ）と（μｄＮＧ＋ｑ×σｄＮＧ）との間の所定値を閾値Ｅとしている。これにより、精度の高い良否判定を行うことができる。
【００７８】
また、本実施形態に係る良否判定装置１００は、ある程度の幅を有するエリア毎に、良品サンプルおよび不良品サンプルの平均値および標準偏差を算出する。そのため、良品サンプルと不良品サンプルとの差が最も大きい時刻（言い換えると、単一の時点）を特定し、その時刻の周辺の区間を判定エリアとする従来技術（例えば、前述の特許文献２参照）に比べて、下記の利点を有する。まず、本実施形態では、予め定めた所定数のエリア毎にエリア面積を算出し、エリア面積に基づいて良否サンプルと不良品サンプルとの差を算出する。そのため、経過時間毎に良品サンプルと不良品サンプルとの差を算出する上記従来技術のように、膨大な数の時点毎に計算を行う必要はない。よって、計算時間を短縮することができる。次に、上記従来技術では、例えば不良品サンプルにおいて外乱（ノイズ）により突発的に圧力の変化が生じ、良品サンプルと不良品サンプルとの差が最も大きくなる本来の時刻とは別の時刻において、良品サンプルと不良品サンプルとの差が最も大きくなる場合があり得る。その場合、上記外乱が原因となって、良否判定の精度が低下するおそれがある。しかし、本実施形態では、エリア面積に基づいて良品サンプルと不良品サンプルとの差を算出するので、そのような外乱を緩和することができる。よって、外乱による判定精度の低下は起こりにくい。
【００７９】
本実施形態に係る良否判定装置１００によれば、圧力波形を複数のエリアＡ１〜Ａ１０に分割し、それらエリアＡ１〜Ａ１０のうち良品と不良品との区別が付きやすいエリアＡ５〜Ａ７を有効エリアとして選択する。そして、有効エリアＡ５〜Ａ７を用いて判定エリアを決定する。よって、良品と不良品とを比較的明確に区別することができ、精度の高い良否判定を行うことができる。
【００８０】
また、判定エリアに用いるエリアが１種類の不良に対し１つだけの場合、別のエリアに現れる不良品の特異点（良品との差が区別しやすい点）を有効に活用することができないが、本実施形態では複数のエリアＡ５〜Ａ７を有効エリアとして選択するので、複数のエリアＡ５〜Ａ７に現れる複数の特異点を有効に活用することができる。
【００８１】
また、本実施形態に係る良否判定装置１００によれば、複数のエリアＡ１〜Ａ１０の中から、分離度の大きいエリアＡ５〜Ａ７を有効エリアとして選択することとしている。そのため、良品と不良品とを明確に区別することができ、精度の高い良否判定を行うことができる。
【００８２】
また、本実施形態に係る良否判定装置１００によれば、有効エリアＡ５〜Ａ７を適宜足し合わせてなる複数の組合せエリアを作成し、各組合せエリアの良品サンプルのエリア面積の平均値および標準偏差と、各組合せエリアの不良品サンプルのエリア面積の平均値および標準偏差とに基づいて、判定エリアを決定することとしている。各有効エリアＡ５〜Ａ７よりも良品と不良品との区別が付きやすいエリアを判定エリアとすることができるので、良品と不良品とをより明確に区別することができ、より一層精度の高い良否判定を行うことができる。
【００８３】
本実施形態に係る良否判定装置１００によれば、複数の組合せエリアの中から、分離度の大きいエリアを判定エリアとしている。そのため、良品と不良品とを明確に区別することができ、精度の高い良否判定を行うことができる。
【００８４】
また、本実施形態に係る良否判定装置１００によれば、有効エリアＡ５〜Ａ７を組み合わせる際に、良品と不良品とをより明確に区別できる組合せエリアを作成するように、重み付けを行うこととしている。本実施形態に係る良否判定装置１００によれば、標準偏差が小さいほど重み付けが大きくなるように、または、分離度が大きいほど重み付けが大きくなるように、重み付けを行うこととしている。そのため、より好適な組合せエリアを作成することができ、ひいてはより好適な判定エリアを得ることができる。よって、更に精度の高い良否判定を行うことができる。
【００８５】
以上、本発明の一実施形態について説明したが、本発明が前記実施形態に限られないことは勿論であり、本発明は他にも種々の形態にて実施することができる。次に、他の実施形態の例について簡単に説明する。
【００８６】
（他の実施形態）
前記実施形態では、ステップＳ５において、全エリアＡ１〜Ａ１０の中から３つの有効エリアＡ５〜Ａ７を選択し、それら有効エリアＡ５〜Ａ７を適宜組み合わせた複数の組合せエリアから判定エリアを抽出することとしていた。しかし、前述したように、全エリアＡ１〜Ａ１０のうち、良品サンプルの正規分布と不良品サンプルの正規分布とが最も分離している１つのエリアを有効エリアとして選択し、その有効エリアを判定エリアとして抽出するようにしてもよい。また、良品サンプルの正規分布と不良品サンプルの正規分布との分離度合いを指標する変数（以下、第３変数という）を定め、第３変数の値が所定値以上のエリアを有効エリアとして選択してもよい。最も第３変数の値が大きいエリア（第３変数の値が所定値以上となる有効エリアが１つの場合は当該有効エリア）を判定エリアとして抽出するようにしてもよい。
【００８７】
また、図２６に示すように、ステップＳ４の後、第３変数の値が所定値以上となるエリアが存在するかを判定し（ステップＳ４Ａ）、判定結果がＹＥＳの場合は第３変数の値が最も大きいエリア（第３変数の値が所定値以上となるエリアが１つの場合は当該エリア）を有効エリアとして選択し（ステップＳ４Ｂ）、当該有効エリアを判定エリアとしてもよい（ステップＳ４Ｃ）。ステップＳ４Ａの判定結果がＮＯの場合は、ステップＳ５以降の処理を行うようにしてもよい。なお、上記処理はＣＰＵ３０により行うことができる。
【００８８】
前記実施形態では、有効エリアとして３つのエリアを選択することとしていた。しかし、選択される有効エリアの数は３つに限られない。有効エリアの数は４つ以上であってもよい。その場合にも、２つ以上の有効エリアを適宜足し合わせたエリアを組合せエリアとすることができる。
【００８９】
前記実施形態では、端子圧着の進行度合いを表す変数として、端子圧着処理の経過時間ｔを用いていた。しかし、端子圧着処理の進行度合いを表す変数は経過時間ｔに限られない。端子圧着処理の進行度合いを一義的に特定できる任意の変数を利用することができる。端子圧着は、クリンパ３が移動することによって行われる。クリンパ３は、モータ４によって駆動される。そのため、例えばクリンパ３の位置または移動距離、クリンパ３の速度、クリンパ３の加速度、モータ４に供給される電流、またはモータ４の回転位置（アクチュエータの作動位置）に基づいて、端子圧着の進行度合いを一義的に特定することができる。
【００９０】
前記実施形態では、有効エリアの選択の際に用いる第１変数は分離度であった。しかし、第１変数は分離度に限定されない。第１変数として、良品サンプルと不良品サンプルとのエリア面積の正規分布の分離度合いを指標する任意の変数を用いることができる。例えば第１変数として、ｍ、ｎを１以上の実数としたときに、μＮＧ＞μＯＫのときのＢ＝（μＮＧ−ｎ×σＮＧ）−（μＯＫ＋ｍ×σＯＫ）、または、μＯＫ＞μＮＧのときのＢ＝（μＯＫ−ｎ×σＯＫ）−（μＮＧ＋ｍ×σＮＧ）が大きくなるほど値が大きくなる変数を利用することができる。
【００９１】
また、前記実施形態では、判定エリアの決定の際に用いる第２変数は分離度であった。しかし、第２変数は分離度に限定されない。第２変数として、良品サンプルと不良品サンプルとのエリア面積の正規分布の分離度合いを指標する任意の変数を用いることができる。例えば第２変数として、ｒ、ｓを１以上の実数としたときに、μＮＧ＞μＯＫのときのＢ＝（μＮＧ−ｒ×σＮＧ）−（μＯＫ＋ｓ×σＯＫ）、または、μＯＫ＞μＮＧのときのＢ＝（μＯＫ−ｒ×σＯＫ）−（μＮＧ＋ｓ×σＮＧ）が大きくなるほど値が大きくなる変数を利用することができる。
【００９２】
有効エリアの選択の手法は、前記実施形態の手法に限定されない。有効エリア選択部は、前記複数のエリアのうち、不良品サンプルのエリア面積の標準偏差の値が小さい順に１つまたは２つ以上のエリアを有効エリアとして選択するように構成されていてもよい。判定エリア決定部は、それら有効エリアを用いて判定エリアを決定するように構成されていてもよい。これにより、不良品サンプルの分布のばらつきがより少ないエリアを、有効エリアとして選択することができ、良好な良否判定を行うことができる。
【００９３】
有効エリアの選択の際に、第１変数の値が大きい順に複数のエリアを選択し、更に、それら複数のエリアのうち、σＮＧの値が小さい順に１つまたは２つ以上のエリアを選択し、それらを有効エリアとしてもよい。言い換えると、第１変数の値が大きい順に複数のエリアを選択し、ｎを１以上の実数としたときに、それら複数のエリアの中から、｜（μＮＧ＋ｎ×σＮＧ）−（μＮＧ−ｎ×σＮＧ）｜の値が小さい順に、１つまたは２つ以上のエリアを選択し、それらを有効エリアとしてもよい。これにより、良品サンプルおよび不良品サンプルの確率分布の隔たりが大きく、かつ、不良品サンプルの分布のばらつきがより少ないエリアを、有効エリアとして選択することができ、良好な良否判定を行うことができる。
【００９４】
前述したように、有効エリアを組み合わせる際に重み付けを行ってもよく、行わなくてもよい。重み付けを行う場合、その具体的手法は特に限定されない。有効エリア選択部は、前記複数のエリアのうち、少なくとも第１変数の値が大きい順に、または、不良品サンプルのエリア面積の標準偏差の小さい順に、２つ以上のエリアを有効エリアとして選択するように構成されていてもよい。組合せエリア作成部は、選択された有効エリアに対して重み付けを行った後、重み付けされた有効エリアを組み合わせてなる組合せエリアを作成するように構成され、組合せエリア決定部はそれら組合せエリアから判定エリアを決定するように構成されていてもよい。
【００９５】
なお、上述の各実施形態は、適宜組み合わせることができる。
【符号の説明】
【００９６】
１      端子圧着装置
２      アンビル
３      クリンパ
４      モータ
１０    端子
１２    電線
２０    コントローラ
２１    圧力センサ
４０    圧力波形取得部
５０    エリア面積算出部
６０    判定エリア抽出部
７０    閾値設定部
８０    判定部
１００  良否判定装置
【図１】
0006767176.tif 000002
【図２】
0006767176.tif 000003
【図３】
0006767176.tif 000004
【図４】
0006767176.tif 000005
【図５】
0006767176.tif 000006
【図６】
0006767176.tif 000007
【図７】
0006767176.tif 000008
【図８】
0006767176.tif 000009
【図９】
0006767176.tif 000010
【図１０】
0006767176.tif 000011
【図１１】
0006767176.tif 000012
【図１２】
0006767176.tif 000013
【図１３】
0006767176.tif 000014
【図１４】
0006767176.tif 000015
【図１５】
0006767176.tif 000016
【図１６】
0006767176.tif 000017
【図１７】
0006767176.tif 000018
【図１８】
0006767176.tif 000019
【図１９】
0006767176.tif 000020
【図２０】
0006767176.tif 000021
【図２１】
0006767176.tif 000022
【図２２】
0006767176.tif 000023
【図２３】
0006767176.tif 000024
【図２４】
0006767176.tif 000025
【図２５】
0006767176.tif 000026
【図２６】
0006767176.tif 000027
【図２７】
0006767176.tif 000028